(57)【要約】【課題】不使用時に、１つの部材でトリガーレバーの回動操作を阻止するとともに、噴出口を被うことができるようにする、トリガー噴射装置のアタッチメント、トリガー噴射装置、および噴射器を提供する。【解決手段】トリガー噴射装置１２に取り付けるとき、トリガーレバー２２を通してそのトリガーレバーの動きを規制し、トリガーレバーの回動操作を不能とする、孔や切欠きなどで構成するトリガーレバー逃げ部２７と、そのトリガーレバー逃げ部の片側に設けて、トリガー噴射装置の構成部品である押下部材１４を弾性力で挟み付けるようにして取り付ける弾性挟持部２８と、トリガーレバー逃げ部の他側に設けて、トリガー噴射装置に取り付けたとき、そのトリガー噴射装置の噴出口を、例えば露出しないように完全に被うキャップ部２９とを樹脂材料を用いて一体成形で備える。【選択図】      図４
2006205033.tif 000002
【特許請求の範囲】
【請求項１】
トリガー噴射装置に取り付けるとき、トリガーレバーを通してそのトリガーレバーの動きを規制するトリガーレバー逃げ部と、
そのトリガーレバー逃げ部の片側に設けて、前記トリガー噴射装置の構成部品を弾性力で挟み付けるようにして取り付ける弾性挟持部と、
前記トリガーレバー逃げ部の他側に設けて、前記トリガー噴射装置に取り付けたとき、そのトリガー噴射装置の噴出口を被うキャップ部と、
を一体成形で備えることを特徴とする、トリガー噴射装置のアタッチメント。
【請求項２】
請求項１に記載のトリガー噴射装置のアタッチメントを備えることを特徴とする、トリガー噴射装置。
【請求項３】
請求項２に記載のトリガー噴射装置を備えることを特徴とする、噴射器。
【発明の詳細な説明】
【技術分野】
【０００１】
この発明は、容器の口部にトリガー噴射装置を取り付け、使用時にそのトリガー噴射装置のトリガーレバーを回動操作して押下部材を押し下げ、ポンプ式ではトリガー噴射装置のポンプを作動して容器内の内容物を汲み上げ、エアゾール式ではトリガー噴射装置の出口弁を開いて容器の内容物を噴射剤の圧力で外部へと噴射する、殺虫用・薬用・化粧用・洗浄用・塗装用などの噴射器に関する。および、そのような噴射器において、容器の口部に取り付ける、ポンプ式やエアゾール式のトリガー噴射装置に関する。および、不使用時に、そのようなトリガー噴射装置に取り付けて使用するトリガー噴射装置のアタッチメントに関する。
【背景技術】
【０００２】
トリガー噴射装置を備える噴射器では、誤ってトリガーレバーを回動操作し、予期せずに噴出口から容器内容物を噴射してまわりを汚すなどの問題があった。そこで、従来の噴射器の中には、不使用時はストッパ部材を取り付けてトリガーレバーの回動操作を阻止し、そのような不用意なトリガーレバーの作動を防止するものがある。
【０００３】
他方、この種の噴射器では、特に容器内容物の粘性が高いときなど、使用後に噴出口近くに内容物が残留し、その噴出口付近に残留する内容物が経時に落下する液だれを生じて周囲を汚したり、内容物が噴出口まわりで固化して次の使用時に内容物を思いもかけない方向に噴射したりする問題があった。また、噴出口近くに残留した内容物にチリやほこりなどが付着して不衛生となったり、噴出口を通して内部に雑菌が侵入したり、内容物が人体に好ましくない薬剤であったときに噴出口まわりに残留する内容物に手を触れたりするなどの問題があった。
【０００４】
このため、従来の噴射器の中には、不使用時はカバー部材を取り付けて噴出口を被うようにするものがある。
【０００５】
【特許文献１】特開２００１−３２２６６１号公報
【特許文献２】特開２００１−３４１７６８号公報
【特許文献３】特開２００２−１９２０２８号公報
【特許文献４】特開２００２−１８６８８６号公報
【発明の開示】
【発明が解決しようとする課題】
【０００６】
しかしながら、トリガーレバーの回動操作を阻止するとともに、噴出口を被うときは、上述したストッパ部材とカバー部材とをそれぞれ別個に設けなければならず、部品点数が増加してコスト高となる問題があった。また、使用時には、それらの２つの部材をなくさないように注意しなければならず、管理が面倒である問題があった。
【０００７】
そこで、この発明の目的は、そのような問題を解消して、不使用時に、１つの部材でトリガーレバーの回動操作を阻止するとともに、噴出口を被うことができるようにする、トリガー噴射装置のアタッチメント、トリガー噴射装置、および噴射器を提供することにある。
【課題を解決するための手段】
【０００８】
そのため、請求項１に記載の発明は、トリガー噴射装置に取り付けるとき、トリガーレバーを通してそのトリガーレバーの動きを規制し、トリガーレバーの回動操作を不能とする、孔や切欠きなどで構成するトリガーレバー逃げ部と、
そのトリガーレバー逃げ部の片側に設けて、前記トリガー噴射装置の構成部品を弾性力で挟み付けるようにして取り付ける弾性挟持部と、
前記トリガーレバー逃げ部の他側に設けて、前記トリガー噴射装置に取り付けたとき、そのトリガー噴射装置の噴出口を、例えば露出しないように完全に被うキャップ部と、
を一体成形で備えることを特徴とする、トリガー噴射装置のアタッチメントである。
【０００９】
そして、トリガーレバー逃げ部にトリガーレバーを通し、トリガーレバー逃げ部の片側に設ける弾性挟持部で、トリガー噴射装置の構成部品を弾性力で挟み付けるようにしてトリガー噴射装置に取り付け、アタッチメントのトリガーレバー逃げ部でトリガーレバーの動きを規制するとともに、そのトリガーレバー逃げ部の他側に設けるキャップ部でトリガー噴射装置の噴出口を被う。
【００１０】
請求項２に記載の発明は、請求項１に記載のトリガー噴射装置のアタッチメントを備えることを特徴とする、ポンプ式やエアゾール式のトリガー噴射装置である。
【００１１】
請求項３に記載の発明は、請求項２に記載のトリガー噴射装置を備えることを特徴とする、噴射器である。
【発明の効果】
【００１２】
請求項１に記載の発明によれば、トリガーレバー逃げ部にトリガーレバーを通して弾性挟持部でトリガー噴射装置の構成部品を弾性力で挟み付けるようにしてトリガー噴射装置に取り付け、アタッチメントのトリガーレバー逃げ部でトリガーレバーの動きを規制するとともに、キャップ部でトリガー噴射装置の噴出口を被うので、不使用時に、１つの部材でトリガーレバーの回動操作を阻止するとともに、噴出口を被うことができるようにするトリガー噴射装置のアタッチメントを提供することができる。
【００１３】
既存のトリガー噴射装置を設計変更することなく、新たなアタッチメントをつくるだけで、不使用時に、トリガーレバーの回動操作を阻止して意に反したトリガーレバーの作動を防ぐとともに、噴出口を被って液だれを防止し、残留内容物の固化をなくし、噴出口を通して容器内容物が汚染されないようにし、さらに噴出口付近の残留内容物に手を触れることを防ぐことができる。
【００１４】
請求項２に記載の発明によれば、請求項１に記載のトリガー噴射装置のアタッチメントを備えるので、不使用時に、１つの部材でトリガーレバーの回動操作を阻止するとともに、噴出口を被うことができるトリガー噴射装置を提供可能とする。
【００１５】
請求項３に記載の発明によれば、請求項２に記載のトリガー噴射装置を備えるので、不使用時に、１つの部材でトリガーレバーの回動操作を阻止するとともに、噴出口を被うことができる噴射器を提供可能とする。
【発明を実施するための最良の形態】
【００１６】
以下、図面を参照しつつ、この発明の実施の最良形態につき説明する。
図１には、この発明を適用したトリガー式噴射器の上部を斜め上から見て示す。図２には、そのトリガーレバーを断面にして示す。
【００１７】
図中符号１０は、上部に口を有する筒状の容器であり、下部を省略して示す。容器１０内には、殺虫剤・薬液・化粧液・洗剤・洗浄液・塗料などの内容物を噴射剤とともに収納する。内容物は、噴射剤であるガス中に溶解していてもよいし、ガスとは分離した状態で容器１０内に存在するようにしてもよい。容器１０の口部には、エアゾール式トリガー噴出装置１２を取り付ける。
【００１８】
トリガー噴射装置１２には、図示省略するが、中心から上向きにステムを突出するマウンテンキャップを設ける。そのマウンテンキャップは、外周縁に形成した巻き締め部を容器１０の口部周縁にガスケットラバーを介して巻き締め、容器１０の口部に取り付ける。そして、マウンテンキャップの巻き締めた部分を隠すようにマウンテンキャップを被って、容器１０の口部には、カバー部材１３を取り付ける。図示しないが、カバー部材１３には、上向きに筒部を突出する。
【００１９】
不図示のステムには、押下部材１４を連結する。押下部材１４は、エルボ状にほぼ９０度に折り曲げて、押し下げ方向にのびる基端側の第１部分１５と、それと直交する水平方向にのびる先端側の第２部分１６とで構成する。そして、第１部分１５には、上部両側に、円形の係合突部１５ａを設ける。他方、第２部分１６には、先端側にノズルホルダ１７をはめ付ける。ノズルホルダ１７には、ノズル部材１８を取り付ける。ノズル部材１８には、噴出口１８ａを設ける。噴出口１８ａは、押下部材１４内を通してステム出口へと連通している。
【００２０】
カバー部材１３には、不図示の筒部に被せて止めキャップ２０のキャップ部２０ａを取り付ける。止めキャップ２０には、押下部材１４の第１部分１５が中心を貫通するキャップ部２０ａと、その肩部から斜め上向きに支柱部２０ｂをのばす。
【００２１】
止めキャップ２０の支柱部２０ｂは、先端にトリガーレバー２２の基端を支軸２３を中心として回動自在に取り付ける。トリガーレバー２２は、くの字状に折れ曲がり、その曲げ部に、押下部材１４の第２部分１６を通す通孔２２ａを有する頂面部２２ｂと、その両側に対向するように設ける側面部２２ｃとからなる。側面部２０ｃの内面には、下向きに係合凹部２２ｄを形成する。また、側面部２２ｃを設けて、指掛け部２２ｅを長くのばす。そして、トリガーレバー２２の係合凹部２２ｄを、押下部材１４の係合突部１５ａに係合する。
【００２２】
そして、不使用時には、このトリガー噴射装置１２には、図３に示すアタッチメント２５を取り付ける。アタッチメント２５は、全体を樹脂材料を用いて一体成形でつくり、平板状のベース部２６と、そのベース部２６に凹形状の孔をあけて形成したトリガーレバー逃げ部２７と、そのトリガーレバー逃げ部２７の片側に設けてベース部２６上に形成した弾性挟持部２８と、トリガーレバー逃げ部２７の他側に設けてベース部２６と直交する方向にのびる断面Ｕ字状のキャップ部２９とで構成する。トリガーレバー逃げ部２７は、孔に限らず、切欠きでもよい。また、図示例では、弾性挟持部２８は、開口を上向きとした横Ｃ字型につくる。
【００２３】
そして、このアタッチメント２５をトリガー噴射装置１２に取り付けるときは、図４に示すように、トリガーレバー逃げ部２７にトリガーレバー２２の指掛け部２２ｅを側面部２２ｃとともに先端から通し、弾性挟持部２８を押下部材１４の第２部分１６に下から押し当て、押し上げて弾性挟持部２８を弾性力に抗して押し開き、第２部分１６を通過後、それを弾性力で挟み付けるようにしてその第２部分１６に取り付ける。この例では、アタッチメント２５をトリガー噴射装置１２の押下部材１４に取り付けるが、もちろん押下部材１４に限らず、トリガー噴射装置１２の他の構成部品に取り付けるようにしてもよい。
【００２４】
これにより、トリガーレバー２２を回動操作したとき、指掛け部２２ｅをアタッチメント２５のトリガーレバー逃げ部２７まわりに当てて、例えばキャップ部２９をノズルホルダ１７に当て、トリガーレバー２２の動きを規制してトリガーレバー２２の回動操作を不能とするとともに、キャップ部２９をトリガー噴射装置１２の噴出口１８ａにあてがい、その噴出口１８ａを断面Ｕ字状のキャップ部２９で囲むように被う。
【００２５】
よって、不使用時に、１つのアタッチメント２５で、トリガーレバー２２の回動操作を阻止するとともに、噴出口１８ａを被うことができる。そして、既存のトリガー噴射装置１２を設計変更することなく、新たなアタッチメント２５をつくるだけで、不使用時に、トリガーレバー２２の回動操作を阻止して不用意なトリガーレバー２２の作動を防ぐとともに、噴出口１８ａを被って液だれを防止し、残留内容物の固化をなくし、噴出口１８ａを通して容器内容物が汚染されないようにし、さらに残留内容物に手を触れることを防ぐことができる。
【００２６】
いま、この噴射器を使用するときは、ベース部２６を持ってアタッチメント２５を引き下げ、弾性挟持部２８を押し開いて押下部材１４の第２部分１６から外し、キャップ部２９による噴出口１８ａの被いを解除してトリガーレバー逃げ部２７から指掛け部２２ｅを側面部２２ｃとともに抜き取る。
【００２７】
そして、容器１０を持って指掛け部２２ｅに指を掛け、噴出口１８ａを目的部位に向けて図５に示すようにトリガーレバー２２を支軸２３を中心として反時計方向に回動する。すると、トリガーレバー２２の係合凹部２２ｄで押下部材１４の係合突部１５ａを押し、押下部材１４を押し下げて不図示のステムを押し込み、不図示の出口弁を弾性変形して出口孔を開く。そして、容器１０の内容物を噴射材の圧力により押し上げ、ステムから吐出して押下部材１４内を通して噴出口１８ａから外部に向けて噴射する。
【００２８】
使用を止めるときは、指掛け部２２ｅから手を離して押下部材１４の押し込みを解除し、不図示のコイルスプリングでステムを押し上げて出口弁の変形を戻し、出口孔を塞いで噴出口１８ａからの噴射を停止する。
【００２９】
さて、上述した例では、エアゾール式トリガー噴射装置１２に適用し、そのような噴射装置１２を備える噴射器について説明したが、この発明は、ポンプ式トリガー噴射装置にも同様に適用し、そのような噴射装置を備える噴射器に用いることもできる。
【００３０】
ポンプ式トリガー噴射装置では、使用時に、例えば、アタッチメントを取り外してトリガーレバーを回動操作することにより押下部材を押し下げ、ステムを押し込んでステムと一体またはステムに連結するピストンを押し込み、シリンダ室の圧力を上昇してポンプの出口弁を開き、シリンダ室の内容物をステムを通して吐出して押下部材に設ける噴出口から外部へと噴射する一方、トリガーレバーから手を離したとき、付勢部材によりステムを復帰してシリンダ室の圧力を低下し、出口弁を閉じるとともにポンプの入口弁を開いて容器の内容物をシリンダ室に吸い上げる。
【図面の簡単な説明】
【００３１】
【図１】この発明を適用したトリガー式噴射器の上部を斜め上から見て示す上部外観斜視図である。
【図２】その噴射器を、トリガーレバーを断面にして示す側面図である。
【図３】その噴射器に用いるアタッチメントの斜視図である。
【図４】そのアタッチメントを使用した状態においてトリガーレバーを断面にして示す噴射器の部分断面図である。
【図５】その噴射器の使用状態においてトリガーレバーを断面にして示す側面図である。
【符号の説明】
【００３２】
１０    容器
１２    トリガー噴射装置
１４    押下部材（トリガー噴射装置の構成部品）
１８    ノズル部材
１８ａ  噴出口
２２    トリガーレバー
２５    アタッチメント
２６    ベース部
２７    トリガーレバー逃げ部
２８    弾性挟持部
２９    キャップ部
【図１】
2006205033.tif 000003
【図２】
2006205033.tif 000004
【図３】
2006205033.tif 000005
【図４】
2006205033.tif 000006
【図５】
2006205033.tif 000007